(57)【特許請求の範囲】
【請求項１】
周壁で囲われた取付枠体の内部にガス栓本体を備え、壁板の孔部に前記取付枠体が埋設され、前記ガス栓本体の被接続端部を前記孔部に臨ませたガスコンセントであって、
前記取付枠体は矩形状の箱体からなり、且つ前記周壁の一対の端部から外方へ張り出す鍔部を備え、
前記壁板の表側で、前記鍔部が前記孔部の縁部に直接又は間接的に当接し、
前記壁板の裏側には、前記孔部に挿通可能な外形の取付補助片が、前記孔部の周縁に沿って設けられ、
前記取付補助片は平面視でほぼＬ字状の可撓性板材から形成され、
前記鍔部と前記Ｌ字状の板材からなる取付補助片とが、前記Ｌ字状の板材の両端部の位置で前記孔部に挿通された締結手段により、前記壁板を挟んで固定されており、
前記締結手段としてネジ部材を有し、
前記ネジ部材が挿通される二箇所の前記鍔部の挿通部位には、前記ネジ部材の胴部と首部との両外形に対応する大小一体に形成された孔部又は切欠部がそれぞれ設けられ、前記二箇所の孔部又は切欠部は前記鍔部においてそれぞれ互いに小さいほうの孔部又は切欠部が対向する向きに設けられた、ガスコンセント。
【発明の詳細な説明】
【０００１】
【発明の属する技術分野】
この発明は壁孔に収納配設されるガスコンセントに関する。
【０００２】
【従来の技術】
図１４及び図１５に従来のガスコンセントを示す。図１４はガス栓本体ｍが内部に収容されるボックスａと、その取付金具ｂを示す斜視図であり、図１５はボックスａを壁孔ｃに埋設した状態を示す正面図である。ボックスａは矩形状の箱形に形成され、その内部にガス栓本体ｍが設けられる。ガス栓本体ｍはそのコンセント部を正面に向けて壁孔ｃへ臨ませる一方、そのガス供給側が図の下方に延びて設けられ、ボックスａの開放部ｊを通して壁ｉに埋設されたガス供給管ｎに接続される。
【０００３】
このようなボックスａを壁孔ｃに取り付けるには、次のような手順で行う。取付金具ｂをボックスａの側壁に固定する。この固定は、結合ネジｅ，ｅにより、取付金具ｂの長孔ｋ，ｋを通してボックスａのネジ孔ｇ，ｇに取り付ける。また壁孔ｃはボックスａと取付金具ｂの結合体が容易に埋設できるようにこれらより一回り大きな開口が壁ｉに穿設されているものとする。そしてボックスａの固定は、前記結合体を壁孔ｃへ埋設した後、壁内の木枠ｄに取付金具ｂを当接させ、木ネジｆ，ｆにより取付孔ｈ，ｈを通して木枠ｄへネジ止めすることにより行われる。
【０００４】
上記で明らかなように、従来のガスコンセントでは、ボックスａと取付金具ｂとの結合体を壁孔ｃに埋設させた後、取付金具ｂを木枠ｄにネジ止め固定し、これによりボックスａが固定されるものであるから、壁孔ｃの開口形状はボックスａと取付金具ｂとの輪郭形状よりも一回り大きいことを前提とする。またボックスａが埋設される壁ｉの内部空間も、それに応じた広さを必要とする。なお、ボックスａの取り付けに際して、先に取付金具ｂを木枠ｄに取り付け、その後でこの取付金具ｂにボックスａを結合させるという手順は事実上困難である。即ち図例で明らかなように、結合ネジｅ，ｅの取付方向が壁孔ｃの貫通方向に対して直角となるため、その取り付け作業が煩雑となる上に、壁孔ｃの開口形状及び内部空間をより一層大きくしなければならず、現実的でなくなるからである。
【０００５】
【発明が解決しようとする課題】
かかるガスコンセントでは、上記したように、ボックスａの取付作業を容易ならしめるために、壁孔ｃはボックスａと取付金具ｂとの輪郭形状よりも一回り大きくすると共に、それに応じて壁ｉの内部空間も大きくする必要がある。しかしながら、壁孔ｃの穿設及び壁ｉの形成作業に手間を要する一方、近時における省スペース化や壁ｉの穿設スペースに制約がある場合等には、十分な大きさの壁孔ｃや内部空間を設けることが困難となり、加えてボックス取付作業も煩雑となる。更に上記構成によれば、壁ｉの内部には、取付金具ｂを固定するための木枠ｄなどの取付部材も必要とし、ボックスａを取り付ける上でより制約がある。
【０００６】
本発明は上記問題に鑑みてなされたものであって、その目的は、ガスコンセントが取り付けられる壁部の孔部スペースに制約があっても、そのスペースを必要最小限にとどめて省スペース化を図り、容易に取付作業が行える作業性の良好なガスコンセントを提供することにある。
【０００７】
【課題を解決するための手段】
上記課題を解決するために講じた請求項１記載のガスコンセントは、『周壁で囲われた取付枠体の内部にガス栓本体を備え、壁板の孔部に前記取付枠体が埋設され、前記ガス栓本体の被接続端部を前記孔部に臨ませたガスコンセントであって、前記取付枠体は矩形状の箱体からなり、且つ前記周壁の一対の端部から外方へ張り出す鍔部を備え、前記壁板の表側で、前記鍔部が前記孔部の縁部に直接又は間接的に当接し、前記壁板の裏側には、前記孔部に挿通可能な外形の取付補助片が、前記孔部の周縁に沿って設けられ、前記取付補助片は平面視でほぼＬ字状の可撓性板材から形成され、前記鍔部とＬ字状の板材からなる前記取付補助片とが、前記Ｌ字状の板材の両端部の位置で前記孔部に挿通された締結手段により、前記壁板を挟んで固定されており、前記締結手段としてネジ部材を有し、前記ネジ部材が挿通される二箇所の前記鍔部の挿通部位には、前記ネジ部材の胴部と首部との両外形に対応する大小一体に形成された孔部又は切欠部がそれぞれ設けられ、前記二箇所の孔部又は切欠部は前記鍔部においてそれぞれ互いに小さいほうの孔部又は切欠部が対向する向きに設けられた』ことを特徴とする。
【０００８】
この解決手段によれば、壁板の孔部に挿通された締結手段により、取付枠体の鍔部と取付補助片とが壁板を挟んで固定され、これにより取付枠体が壁板に取り付けられる。取付枠体はこれが埋設される壁板の孔部において前記締結手段によって壁板へ固定されるため、必要とされる壁板の孔部スペースは、取付枠体及び締結手段のそれぞれの輪郭形状ぶんのスペースがあればよく、それ以上のスペースを必要としない。しかもこの孔部は、取付枠体が埋設されると共に締結手段が挿通される両者の共有スペースであるから、別に締結手段のための取り付け用孔部を壁板に設ける必要がなく、従って孔部の省スペース化が図れる一方、取付スペースに制約があっても容易に取り付けることができる。そして前記締結手段はこの孔部に挿通された状態で鍔部と取付補助片とを締結するようにしているため、この締結作業は孔部の貫通方向となるから、壁板の手前の自由空間が有効に利用でき、孔部スペースの制約の有無にかかわらず容易に締結作業が行える。更に、取付補助片は孔部に挿通可能な形状とされるから、前記締結作業に先立って、取付補助片をこの孔部を通して壁板の裏側へ容易に取り付けることができ、従って壁部の孔部スペースに制約があっても容易にガスコンセントの取付作業が行える。
【０００９】
尚、本発明の解決手段にいう取付枠体は、内部にガス栓本体を備えているものであるが、取付枠体のうちガス栓本体の収容部側と周壁から張り出した鍔部側とが一体に設けられているか、或はこれらが別部材で構成され一体に結合されているかは問わない。
【００１０】
また、請求項１記載のガスコンセントは、『前記取付枠体は矩形状の箱体からなり、前記鍔部は前記周壁のうち相対する一対から張り出して設けられ、更に前記取付補助片は平面視でほぼＬ字状の板材から形成され、前記鍔部と前記Ｌ字状の板材とは前記Ｌ字状の板材の両端部の位置で固定された』ことを特徴とする。これによれば、取付補助片はほぼＬ字状に形成された板材であり、その両端部の位置で鍔部と取付補助片とを固定するようにしたから、その両端の固定部位は、矩形状の箱体からなる取付枠体に対してその対角線上に対峙した位置となり、従って取付補助片は鍔部に対してその取付姿勢が正Ｌ字か倒立したＬ字かを問わず、また取付補助片の向きが裏面か表面かを問わず、何れの場合でも容易に取り付けることができる。また取付枠体に対して対角線上に固定部位が位置するため安定した固定となる。一方の取付枠体の鍔部は、相対する周壁の一対から張り出して設けられたから、形状が簡素化されて孔部へ埋設する際に障害とならず、しかも前記取付補助片に対しては必要十分な固定の部位が確保されるから、壁部の孔部スペースを必要最小限にとどめることができると共に、取り付けが容易に行える。
【００１２】
そして、請求項１記載のガスコンセントは、『前記Ｌ字状の板材は可撓性部材から形成され、前記締結手段にネジ部材が用いられ、前記ネジ部材が挿通される二か所の前記鍔部の挿通部位には、前記ネジ部材の胴部と首部との両外形に対応する大小一体に形成された孔部又は切欠部がそれぞれ設けられ、前記二箇所の孔部又は切欠部は前記鍔部においてそれぞれ互いに小さいほうの孔部又は切欠部が対向する向きに設けられた』ことを特徴とする。これによれば、以下の手順で取付枠体を壁板に固定することができる。即ち、Ｌ字状の板材の両端部にそれぞれネジ部材を仮止めし、このＬ字状の板材を壁板の孔部（以下、便宜上、壁板孔部という）に挿通し、壁板の裏側で壁板孔部の周辺に沿って当接させる。この時、Ｌ字状の板材に仮止めされた二本のネジ部材は、壁板孔部内において首部が手前側に向いた突出状態にある。次に二つの鍔部を壁板孔部の周縁に当接させて取付枠体の周壁を壁板孔部内へ埋設させるが、その際、上記ネジ部材が手前に突出しているため、これを逃がすために鍔部孔部のうち大きいほうでネジ部材の首部を挿通させることができる。その際、鍔部孔部のうち小さい方が互いに対向する向きになっており、また、仮り止めされたネジ部材の間のピッチ寸法は、通常、鍔部孔部の小さい方の孔部同士間のピッチ寸法に合致しているので、そのままではネジ部材の首部を鍔部孔部の大きい方へは挿通できない。しかしながらＬ字状の板材の可撓性を利用し、このＬ字状の板材を曲げ歪ませて鍔部孔部同士間の見かけピッチ寸法を小さくすることができ、その状態でネジ部材の首部を鍔部孔部のうち大きいほう（明らかなように、大きいほうの孔は小さいほうの孔よりも外側に位置つけられている）に挿通させることができる。そしてＬ字状の板材に対し曲げ歪ませることを停止すると、Ｌ字状の板材は元の形状に復元し上記ピッチ寸法も元に戻るから、それぞれの鍔部孔部の小さい方にネジ部材の胴部を入り込ませることができる。その後、それぞれのネジ部材を締め付けると、ネジ部材の首部は鍔部孔部の小さい部位に当接し、鍔部は壁板から外れることがなく、Ｌ字状の板材と鍔部とが壁板を挟んで固定される。このように取付枠体の取付作業は、ネジ部材の締め付けが壁板孔部の貫通方向であるから容易に行えると共に、Ｌ字状の板材を曲げ歪ませる動作も僅かな移動にとどめられるから、取付スペースに制約があってもこれに影響されることなく容易に取付作業が行える。
【００１３】
【発明の効果】
以上説明したように、請求項１記載のガスコンセントによれば、壁板の孔部に挿通した締結手段により、壁板裏側の取付補助片と壁板表側の取付枠体の鍔部とを壁板を挟んで固定するようにしたから、壁部の最小スペースで取り付けることができ、しかも壁部の貫通方向で締結作業ができるから取り付けが容易となる。また、上記のガスコンセントによれば、取付補助片はほぼＬ字状に形成され、その両端部で鍔部と取付補助片とを固定するようにしたから、取付補助片はその向きや姿勢を問わず容易に取り付けられ、一方、取付枠体の鍔部は形状が簡素化されたから孔部に埋設する際の障害とならず、従ってより省スペース化と作業性の向上が図れる。そして、上記のガスコンセントによれば、締結手段として取扱の容易なネジ部材を用い、また取付補助片を可撓性とすることに加え、鍔部にネジ部材の胴部と首部との両外形に対応した大小一体の孔部又は切欠部を設けたから、この孔部又は切欠部を利用して取り付けの際の位置決めや取付補助片と鍔部との締結作業がより一層容易となり作業性が向上する。
【００１４】
【発明の実施の形態】
本発明のガスコンセントについて添付の図面を参照しつつ説明する。図１はガスコンセントが壁板２の孔部に埋設された状態を示す正面図、図２は図１のＸ−Ｘ断面図、そして図３は図１のＹ−Ｙ断面図である。本発明のガスコンセントが埋設される壁は、図１の姿勢を上下方向とし、一例として表面に約１０ｍｍ厚の壁板２を備え、更にこの壁板２から奥行き約２５ｍｍの壁内空間を介して内壁２０へ到達する構成となっている。壁板２にはガスコンセントの外形形状にほぼ合致した長方形の壁孔２１が貫設され、この壁孔２１及びその壁内空間にガスコンセントが埋設される。またこの壁内空間にはガス供給元に接続のガス管７が内壁２０に沿って配設され、その端部が壁孔２１のところまで引き回されている。
【００１５】
本実施の形態のガスコンセントは、壁孔２１の正面にコンセント部１０が臨むガス栓本体１を備え、これを収容する枠体として取付枠体３とボックス４とからなる二枠体から構成され、この二枠体は連結され矩形状の箱体として壁孔２１とその壁内空間に埋設される。この連結された枠体（以下、連結枠体という）のうち壁板２側の取付枠体３は、周壁が長方形の開口をなす筒状の枠体であり、その周壁の上端部から外方に張り出した鍔部３０を備えている。鍔部３０の輪郭は壁孔２１よりも大きく形成され、取付枠体３を壁孔２１へ嵌め込んだ時に鍔部３０が壁板２に当接して保持される。図例では鍔部３０のうち上下方向に張り出した一対の鍔部３０ａ，３０ｂが他の鍔部よりも大きく形成されると共に、鍔部３０ａ，３０ｂと壁板２との間に樹脂枠８が介装される。鍔部３０ａ，３０ｂは、相対する周壁の一対から張り出して設けられたから、形状が簡素化されて壁孔２１へ埋設する際に障害とならなず、しかも後述するバックプレート５に対しては必要十分な固定の部位が確保されるから、壁板２の孔部スペースを必要最小限にとどめることができると共に、取り付けが容易に行える。
【００１６】
壁板２の内部側に位置するボックス４は有底の箱体であり、取付枠体３とほぼ同じ外形の周壁を備え、その底部にガス栓本体１がネジ止め固定される。ガス栓本体１には、壁孔２１にコンセント部１０を臨ませる一方、壁面に沿う方向へガス管７を接続するための継手６が連結固定されており、この継手６の内周部に雌ネジが設けられている。また継手６に接続されるガス管７には、その接続端に雄ネジを備えた接続ネジ部７１が、ガス管７から外れないようにこのガス管７に対して回動自在に取り付けられている。従ってガス管７をガス栓本体１へ接続するには、ガス管７の接続ネジ部７１を継手６に差し込み、螺進するように接続ネジ部７１を回転させれば、ガス管７が捻じれることなくガス栓本体１へ接続される。
【００１７】
取付枠体３とボックス４との連結は、図３に示すように、それぞれの周壁の内部側に折り曲げられた舌片３２，４２をネジ止めすることにより両者が固定される。
壁孔２１の大きさは、これに埋設される上記連結枠体の周壁輪郭よりも大きく設けられているが、図１，図３に示すように、図の横方向では連結枠体のガタツキがほとんど無い程度に設けられる一方、図の縦（長手）方向では、壁孔２１と周壁の上下端部との間でそれぞれ間隙が生ずるように設けられている。この間隙は具体的にはネジ９，９がこの間隙に収容されるのに必要なスペースである。
【００１８】
壁孔２１に対する連結枠体の取付状態は、図１及び図２に示すように、取付枠体３の鍔部３０ａ，３０ｂと、これらに宛てがわれるように壁板２の裏側に設けられたバックプレート５とが、ネジ９，９により壁板２を挟んで締結され、これにより連結枠体が壁板２に固定される。連結枠体がこの壁板２に固定された後、図に示すように、カバープレート８８が取り付けられる。
【００１９】
バックプレート５は図４に示すように、金属板であり、平面視で略Ｌ字状に形成され、壁孔２１の周縁に沿って約半周ぶん延びた形状になっている。バックプレート５の長手方向（縦方向）は壁孔２１の周縁にほぼ沿って設けられているが、バックプレート５の鍔部３０ａ，３０ｂと対向する部分は、壁孔２１内でネジ９，９による締結がなされるため、壁孔２１よりも内側へ食い込んだ形状となっている。バックプレート５の両端部には、それぞれ雌ネジ５ａ，５ａが設けられており、鍔部３０ａ，３０ｂ側からネジ９，９が容易に取り付けられる。
【００２０】
尚、ネジ９，９が取り付けられる鍔部３０ａ，３０ｂのネジ孔３１，３１は、図１に示すように、それぞれ大きな弧状の孔と小さな長孔とが一体となった瓢箪状の孔形状を有しており、取付枠体３において同じ向きとなるように形成されている。ネジ孔３１，３１は、それぞれ大きな孔のほうがネジ９の首部を挿通できる大きさの形状に設けられ、小さな孔のほうはネジ９の胴部を挿通できる大きさの形状に設定されている。
【００２１】
本発明のガスコンセントは、上記のように構成されており、以下の手順で壁部２に取り付けられる。まず図８は、ボックス４を内壁２０へ仮止めする工程を示し、うち図の (a)は平面図、 (b)は断面図、そして (c)は取り付けた後の状態を示す断面図である。ボックス４には予めガス栓本体１が収容され、ボックス４の底部でネジ止め固定されている。ボックス４を壁孔２１に挿入し、そして予め壁内空間に設けられ壁孔２１に臨ませていたガス管７を継手６を介してガス栓本体１に接続する。そしてネジ４４によりボックス４を内壁２０へ取り付け、これにより図８ (c)に示すようにボックス４が内壁２０に仮止めされる。
【００２２】
次にバックプレート５を壁板２の裏面に取り付けるため、図９に示すように、先にバックプレート５の一方の雌ネジ５ａにネジ９を仮止めしておき、このネジ止めしていない他方を先頭にして壁孔２１内へ挿入する。バックプレート５は平面視でＬ字状に形成されているため、ボックス４内のガス栓本体１が壁孔２１に臨み設けられていても、障害とならず容易に壁孔２１へ挿入することができる。尚、壁孔２１に挿入されるバックプレート５の形状は、壁孔２１の周縁に沿ってほぼ半周ぶん延びた形状とすることで、壁孔２１へ挿入する際、ガス栓本体１に接触することなく容易に行える。
【００２３】
そして図１０に示すように、壁孔２１の周縁に沿うようにバックプレート５を壁板２の裏側で保持したままの状態で、バックプレート５の他方の雌ネジ５ａにネジ９を仮止めする。これによりバックプレート５に取り付けられたネジ９，９は壁孔２１内で、壁板２を挿通した状態になる。その後、図１１に示すように、樹脂枠８を壁板２の表面に取り付ける。
【００２４】
図１２は、取付枠体３を取り付ける状態を示し、まず取付枠体３の周壁を壁孔２１に沿って挿入し、鍔部３０ａ，３０ｂを壁板２の表面に当接させる。その際、壁孔２１にはネジ９，９が突出しているため、鍔部３０ａ，３０ｂの孔部３１，３１のうち、それぞれ大きいほうの孔で、ネジ９，９の首部を挿通させることにより、鍔部３０ａ，３０ｂを容易に壁板２へ当接させることができる。その後、孔部３１，３１の小さいほうの孔に、ネジ９，９の胴部が合致するように、取付枠体３をスライドして壁孔２１に対して相対移動させ、この状態の位置が壁孔２１に対する取付枠体３の正位置となる。そして図に示すように、ボックス４と取付枠体３のそれぞれに設けられた舌片４２，３２をネジ止めすることにより、ボックス４と取付枠体３とが連結される。その後、図の (c)に示すように、ネジ９，９を締め付けると、取付枠体３の鍔部３０ａ，３０ｂとバックプレート５とが壁板２を挟んで固定され、これによりボックス４と取付枠体３との連結枠体が、壁板２に固定される。孔部３１，３１は、鍔部３０ａ，３０ｂに対して同じ向きに設けられているから、取付枠体３をスライドさせることにより、ネジ９，９に対して容易に位置決めすることができる。なお、孔部３１，３１は図例の他、図５の点線に示すように切欠状としてもよい。
【００２５】
その後、図１３に示すように、ガス栓本体１の接続端の部位を窓部としたカバープレート８８が、取付枠体３の内周壁に嵌め込まれて固定され、ガスコンセントの組み立てが完了する。
尚、上記した取付枠体３の固定について、本実施のスライド動作によるものの他、別の変形例として図６、図７に示すようにすることもできる。すなわち図６では、取付枠体１０３の鍔部１３０に、それぞれ孔部１３１，１３１を設け、この場合も大きな孔１３１ａと小さな孔１３１ｂとが一体に設けられるが、上記実施と異なる点は小さな孔１３１ｂ同士が互いに向き合うように位置付けられていることである。従って、上記例のように取付枠体をスライドをさせず、次のような取り付け手順で行う。
【００２６】
図７に示すように、バックプレート５に仮止めされたネジ９，９同士の間のピッチ寸法は、先の実施の形態と同様に、小さい孔１３１ｂ同士間のピッチ寸法に合致している態様である。従って、この例では小さな孔１３１ｂ同士が互いに向き合うよう設けられているから、取付枠体１０３をスライドさせることができない。即ちネジ９はその軸心が小さい孔１３１ｂの中心に対応する位置関係となっているから、この状態ではネジ９の首部を小さい孔１３１ｂへ挿通することができないからである。しかしながらバックプレート５の可撓性を利用して、このバックプレート５を図７の二点鎖線に示すように、曲げ歪ませてやると孔部１３１同士間の見かけピッチ寸法を小さくすることができる。従ってネジ９の軸心が大きい孔１３１ａの位置にずれるようになる。その状態でネジ９の首部を大きい孔１３１ａに挿通させることができる。そして挿通が終えてバックプレート５をその弾性復帰により元の形状に戻すとネジ９の軸心が小さい孔１３１ｂへ移動し、容易にはずれたりすることがなくなる。即ち小さい孔１３１ｂへネジ９の胴部を入り込ませることができる。その後、それぞれネジ９，９を締め付けると、ネジ９の首部は小さい孔１３１ｂに当接し、鍔部１３０は壁板から外れることがなく、バックプレート５と鍔部１３０とが壁板を挟んで固定される。このようにこの実施の形態においても先の実施の形態と同様に、取付枠体の位置決め及び取付作業は、ネジ部材の締め付けが壁板孔部の貫通方向であるから容易に行えると共に、Ｌ字状の板材を曲げ歪ませる動作も僅かな移動にとどめられるから、取付スペースに制約があってもこれに影響されることなく容易に取付作業が行える。尚、この実施においても、孔部１３１，１３１は図６の点線で示すように切欠状とすることができる。
【００２７】
本発明のガスコンセントは、壁孔２１に挿通されたネジ９，９により、取付枠体３の鍔部３０ａ，３０ｂとバックプレート５とが壁板２を挟んで固定され、これによりボックス４と取付枠体３とによる連結枠体が壁板２に取り付けられるようにしている。従ってこの連結枠体はこれが埋設される壁孔２１においてネジ９，９によって壁板２へ固定されるため、必要とされる壁板２の孔部スペースは、連結枠体及びネジ９，９のそれぞれの輪郭形状ぶんのスペースがあればよく、それ以上のスペースを必要とせず、しかもこの壁孔２１は、連結枠体が埋設されると共にネジ９，９が挿通される両者の共有スペースであるから、他にネジ９，９のための取り付け用孔部を壁板２に設けるといった必要がなく、よって壁孔２１の省スペース化が図れる一方、取付スペースに制約があっても容易に取り付けることができる。そして上記の組み立て手順で明らかなように、ネジ９，９は壁孔２１に挿通された状態で鍔部３０ａ，３０ｂとバックプレート５とを締結するようにしているため、この締結作業は壁孔２１の貫通方向となり、壁板２の手前の自由空間が有効に利用できるから、孔部スペースの制約の有無にかかわらず容易に締結作業が行える。
【００２８】
また、このバックプレート５は、ほぼＬ字状に形成された板材であり、雌ネジ５ａ，５ａが設けられたバックプレート両端部で固定するようにしたから、その両端固定箇所は、矩形状の箱体である連結枠体（又は取付枠体３）に対してその対角線上に対峙した位置となり、従ってバックプレート５は鍔部３０ａ，３０ｂに対してその取付姿勢が正Ｌ字か倒立したＬ字かを問わず、またバックプレート５の向きが裏面か表面かを問わず、何れの場合でも容易に取り付けることができる。また連結枠体に対して対角線上に固定位置が存在するため、安定した固定となる。
【００２９】
以上、本発明のガスコンセントについて説明したが、本実施の形態では、別体であるボックス４と取付枠体３とを、連結してひとつの連結枠体としたが、これらが一体に形成された取付枠体として用いることができる。またバックプレート５は図例のＬ字状の他、種々の形状を採用することができる。
【図面の簡単な説明】
【図１】本発明のガスコンセントの正面図である。
【図２】図１のＸ−Ｘ断面図である。
【図３】図１のＹ−Ｙ断面図である。
【図４】本発明のガスコンセントに用いられるバックプレートの平面図である。
【図５】本発明のガスコンセントに用いられる取付枠体の一部を示す
【図６】本発明の別のガスコンセントの部分平面図である。
【図７】図６の部分断面図である。
【図８】本発明のガスコンセントの取付順序を説明するための概略構成図である。
【図９】本発明のガスコンセントの取付順序を説明するための概略構成図である。
【図１０】本発明のガスコンセントの取付順序を説明するための概略構成図である。
【図１１】本発明のガスコンセントの取付順序を説明するための概略構成図である。
【図１２】本発明のガスコンセントの取付順序を説明するための概略構成図である。
【図１３】本発明のガスコンセントの取付順序を説明するための概略構成図である。
【図１４】従来のガスコンセントの斜視図である。
【図１５】従来のガスコンセントの正面図である。
【符号の説明】
１・・・ガス栓本体
２・・・壁板
３・・・取付枠体
４・・・ボックス
５・・・バックプレート
６・・・継手
７・・・ガス管
２０・・内壁
３０ａ，３０ｂ・・鍔部
３１・・孔部
尚、各図中同一符号は、同一又は相当部分を示す。
【図１】
0003910690.tif 000002
【図２】
0003910690.tif 000003
【図３】
0003910690.tif 000004
【図４】
0003910690.tif 000005
【図５】
0003910690.tif 000006
【図６】
0003910690.tif 000007
【図７】
0003910690.tif 000008
【図８】
0003910690.tif 000009
【図９】
0003910690.tif 000010
【図１０】
0003910690.tif 000011
【図１１】
0003910690.tif 000012
【図１２】
0003910690.tif 000013
【図１３】
0003910690.tif 000014
【図１４】
0003910690.tif 000015
【図１５】
0003910690.tif 000016